(57)【要約】【課題】  天井面よりも室外側にある障害物との干渉を抑制することが可能なＬＥＤ照明装置を提供すること。【解決手段】  ＬＥＤチップを具備するＬＥＤ発光部２を備えたＬＥＤ照明装置Ａ１であって、ＬＥＤチップを支持する表面を有するＬＥＤ基板２１を含むＬＥＤ発光部２およびＬＥＤ発光部２への給電を行う電源部５、を具備するＬＥＤユニット１と、ＬＥＤユニット１を収容するケース６と、外部の給電ケーブルと電源部５とを電気的に接続するための外部端子部８１と、を備えており、ケース６は、少なくともＬＥＤユニット１の電源部５を収容する収容部６１を有しており、外部端子部８１は、ＬＥＤ基板２１の表面と直角である第１方向において収容部６１および電源部５と重なる位置に設けられている。【選択図】  図６
2017117547.tif 000002
【特許請求の範囲】
【請求項１】
ＬＥＤチップを具備するＬＥＤ発光部を備えたＬＥＤ照明装置であって、
前記ＬＥＤチップを支持する表面を有するＬＥＤ基板を含む前記ＬＥＤ発光部および前記ＬＥＤ発光部への給電を行う電源部、を具備するＬＥＤユニットと、
前記ＬＥＤユニットを収容するケースと、
外部の給電ケーブルと前記電源部とを電気的に接続するための外部端子部と、を備えており、
前記ケースは、少なくとも前記ＬＥＤユニットの前記電源部を収容する収容部を有しており、
前記外部端子部は、前記ＬＥＤ基板の前記表面と直角である第１方向において前記収容部および前記電源部と重なる位置に設けられていることを特徴とする、ＬＥＤ照明装置。
【請求項２】
前記ＬＥＤユニットは、前記ＬＥＤ発光部を支持する放熱部材を具備しており、
前記放熱部材は、前記ＬＥＤ発光部を支持する天板部および前記天板部に対して前記ＬＥＤ発光部とは前記第１方向反対側に位置し、且つ複数のフィンが外面に形成された筒状部を有する、請求項１に記載のＬＥＤ照明装置。
【請求項３】
前記第１方向において、前記複数のフィンと前記外部端子部とが重なる、請求項２に記載のＬＥＤ照明装置。
【請求項４】
前記外部端子部によって前記給電ケーブルと接続される中継ケーブルを備える、請求項２または３に記載のＬＥＤ照明装置。
【請求項５】
前記中継ケーブルおよび前記電源部の電源ケーブルを接続するためのコネクタ部を備え、
前記コネクタ部は、前記ケースの前記収容部と前記ＬＥＤユニットの前記筒状部との間の空間であって前記第１方向視において前記ＬＥＤユニットに対して前記外部端子部とは反対側の位置に設けられている、請求項４に記載のＬＥＤ照明装置。
【請求項６】
前記ケースの前記収容部は、前記中継ケーブルを通過させる中継ケーブル孔を有する、請求項５に記載のＬＥＤ照明装置。
【請求項７】
前記中継ケーブルは、前記中継ケーブル孔から前記コネクタ部までの経路において、前記ケースの前記収容部内において前記収容部と前記電源部との間に収容されている、請求項６に記載のＬＥＤ照明装置。
【請求項８】
前記収容部は、前記第１方向において前記ＬＥＤ発光部の出射側とは反対側に位置する底部と、前記ＬＥＤユニットを囲む側部とを有しており、前記第１方向出射側に開口している、請求項７に記載のＬＥＤ照明装置。
【請求項９】
前記収容部は、前記開口する側における部分を拡大させる段差部を有しており、
前記外部端子部は、前記段差部に沿って配置されている、請求項８に記載のＬＥＤ照明装置。
【請求項１０】
前記段差部は、前記第１方向視において前記筒状部の周方向の一部方位に形成されている、請求項９に記載のＬＥＤ照明装置。
【請求項１１】
前記中継ケーブル孔は、前記段差部に形成されている、請求項１０に記載のＬＥＤ照明装置。
【請求項１２】
前記収容部は、前記外部端子部のうち前記中継ケーブルが延出する部分と対向する対向部を有しており、
前記中継ケーブル孔は、前記対向部に形成されている、請求項１０に記載のＬＥＤ照明装置。
【請求項１３】
前記第１方向において、前記中継ケーブルは、前記筒状部および前記電源部と重なる位置に配置されている、請求項１１または１２に記載のＬＥＤ照明装置。
【請求項１４】
前記第１方向において、前記中継ケーブルは、前記複数のフィンと重なる位置に配置されている、請求項１３に記載のＬＥＤ照明装置。
【請求項１５】
前記第１方向において、前記コネクタ部は、前記筒状部および前記電源部と重なる位置に設けられている、請求項１３または１４に記載のＬＥＤ照明装置。
【請求項１６】
前記第１方向において、前記コネクタ部は、前記複数のフィンと重なる位置に設けられている、請求項１５に記載のＬＥＤ照明装置。
【請求項１７】
前記ＬＥＤユニットの前記放熱部材の前記筒状部は、前記電源ケーブルを通過させる電源ケーブル孔を有する、請求項１５または１６に記載のＬＥＤ照明装置。
【請求項１８】
前記段差部は、前記第１方向視において前記筒状部の周方向の全方位に形成されている、請求項９に記載のＬＥＤ照明装置。
【請求項１９】
前記中継ケーブル孔は、前記段差部に形成されている、請求項１８に記載のＬＥＤ照明装置。
【請求項２０】
前記中継ケーブルは、前記中継ケーブル孔から前記コネクタ部までの経路において、前記段差部よりも前記第１方向出射側に配置されている、請求項１９に記載のＬＥＤ照明装置。
【請求項２１】
前記コネクタ部は、前記段差部よりも前記第１方向出射側に配置されている、請求項２０に記載のＬＥＤ照明装置。
【請求項２２】
前記外部端子部には、２本の前記中継ケーブルが接続されており、
前記第１方向視において、前記２本の中継ケーブルは、前記筒状部の径方向に並んで前記外部端子部に接続されている、請求項９ないし２１のいずれかに記載のＬＥＤ照明装置。
【請求項２３】
天井面、天井裏面および天井貫通孔を有する天井に取り付けられた状態で、
前記ケースは、前記天井貫通孔を通じて前記天井面よりも室内側に位置する部分と前記天井裏面よりも室内とは反対側に位置する部分と、を有する、請求項４ないし２２のいずれかに記載のＬＥＤ照明装置。
【請求項２４】
前記第１方向において、前記天井は、前記ケースのうち前記天井面と接する部分と前記外部端子部との間に位置する、請求項２３に記載のＬＥＤ照明装置。
【請求項２５】
前記ケースのうち前記天井面と接する部分と前記外部端子部と距離は、１２．５ｍｍ以上２５．０ｍｍ未満である、請求項２４に記載のＬＥＤ照明装置。
【請求項２６】
前記第１方向視において、前記外部端子部は、前記天井貫通孔の外縁に重なっている、請求項２４または２５に記載のＬＥＤ照明装置。
【請求項２７】
前記ＬＥＤユニットは、前記コネクタ部の分離および装着によって、前記ケースに対して脱着可能である、請求項５ないし２６のいずれかに記載のＬＥＤ照明装置。
【請求項２８】
前記ＬＥＤ発光部は、前記ＬＥＤ基板に設けられ、且つ前記ＬＥＤチップを囲む環状とされるとともに、前記ＬＥＤ基板の前記表面から突出する堰部を有する、請求項２ないし２７のいずれかに記載のＬＥＤ照明装置。
【請求項２９】
前記堰部は、シリコーン樹脂からなる、請求項２８に記載のＬＥＤ照明装置。
【請求項３０】
前記ＬＥＤ発光部は、前記堰部に囲まれた領域に充填され、且つ前記ＬＥＤチップを覆う封止樹脂を有する、請求項２９に記載のＬＥＤ照明装置。
【請求項３１】
前記封止樹脂は、前記ＬＥＤチップからの光によって励起されることにより、異なる波長の光を発する蛍光物質を含む、請求項３０に記載のＬＥＤ照明装置。
【請求項３２】
前記ＬＥＤユニットは、前記放熱部材に取り付けられており、且つ前記ＬＥＤ発光部からの光を透過させる内部カバーを有する、請求項２８ないし３１のいずれかに記載のＬＥＤ照明装置。
【請求項３３】
前記ケースに取り付けられ、前記ＬＥＤ発光部を覆い、且つ前記ＬＥＤ発光部からの光を透過させる透光カバーを更に備える、請求項２８ないし３２のいずれかに記載のＬＥＤ照明装置。
【請求項３４】
前記透光カバーは、前記ケースに対して脱着可能である、請求項３３に記載のＬＥＤ照明装置。
【請求項３５】
前記透光カバーは、前記ＬＥＤ発光部からの光を拡散させつつ透過させる、請求項３４に記載のＬＥＤ照明装置。
【請求項３６】
前記ＬＥＤユニットは、前記透光カバーを前記ケースから取り外した状態において、前記ケースに対して脱着可能である、請求項３３ないし３５のいずれかに記載のＬＥＤ照明装置。
【発明の詳細な説明】
【技術分野】
【０００１】
本発明は、ＬＥＤ照明装置に関する。
【背景技術】
【０００２】
ＬＥＤチップを光源として用いた様々なＬＥＤ照明装置が提案されている。特許文献１には、いわゆるダウンライトとして用いられるＬＥＤ照明装置が開示されている。このＬＥＤ照明装置は、複数のＬＥＤチップおよびこれらのＬＥＤチップを点灯させるための電源部を備えている。複数のＬＥＤチップおよび電源部は、天井面よりも室内とは反対側の室外側に配置されている。天井面よりも室外側の空間には、たとえば構造物としての梁や空調ダクトなどの障害物が設置されている場合が多い。このような障害物とＬＥＤ照明装置との干渉を考慮すると、ＬＥＤ照明装置の設置場所が制限されるなどの問題がある。
【先行技術文献】
【特許文献】
【０００３】
【特許文献１】特開２０１５−６０８３２号公報
【発明の概要】
【発明が解決しようとする課題】
【０００４】
本発明は、上記した事情のもとで考え出されたものであって、天井面等よりも室外側にある障害物との干渉を抑制することが可能なＬＥＤ照明装置を提供することをその課題とする。
【課題を解決するための手段】
【０００５】
本発明によって提供されるＬＥＤ照明装置は、ＬＥＤチップを具備するＬＥＤ発光部を備えたＬＥＤ照明装置であって、前記ＬＥＤチップを支持する表面を有するＬＥＤ基板を含む前記ＬＥＤ発光部および前記ＬＥＤ発光部への給電を行う電源部、を具備するＬＥＤユニットと、前記ＬＥＤユニットを収容するケースと、外部の給電ケーブルと前記電源部とを電気的に接続するための外部端子部と、を備えており、前記ケースは、少なくとも前記ＬＥＤユニットの前記電源部を収容する収容部を有しており、前記外部端子部は、前記ＬＥＤ基板の前記表面と直角である第１方向において前記収容部および前記電源部と重なる位置に設けられていることを特徴としている。
【０００６】
本発明の好ましい実施の形態においては、前記ＬＥＤユニットは、前記ＬＥＤ発光部を支持する放熱部材を具備しており、前記放熱部材は、前記ＬＥＤ発光部を支持する天板部および前記天板部に対して前記ＬＥＤ発光部とは前記第１方向反対側に位置し、且つ複数のフィンが外面に形成された筒状部を有する。
【０００７】
本発明の好ましい実施の形態においては、前記第１方向において、前記複数のフィンと前記外部端子部とが重なる。
【０００８】
本発明の好ましい実施の形態においては、前記外部端子部によって前記給電ケーブルと接続される中継ケーブルを備える。
【０００９】
本発明の好ましい実施の形態においては、前記中継ケーブルおよび前記電源部の電源ケーブルを接続するためのコネクタ部を備え、前記コネクタ部は、前記ケースの前記収容部と前記ＬＥＤユニットの前記筒状部との間の空間であって前記第１方向視において前記ＬＥＤユニットに対して前記外部端子部とは反対側の位置に設けられている。
【００１０】
本発明の好ましい実施の形態においては、前記ケースの前記収容部は、前記中継ケーブルを通過させる中継ケーブル孔を有する。
【００１１】
本発明の好ましい実施の形態においては、前記中継ケーブルは、前記中継ケーブル孔から前記コネクタ部までの経路において、前記ケースの前記収容部内において前記収容部と前記電源部との間に収容されている。
【００１２】
本発明の好ましい実施の形態においては、前記収容部は、前記第１方向において前記ＬＥＤ発光部の出射側とは反対側に位置する底部と、前記ＬＥＤユニットを囲む側部とを有しており、前記第１方向出射側に開口している。
【００１３】
本発明の好ましい実施の形態においては、前記収容部は、前記開口する側における部分を拡大させる段差部を有しており、前記外部端子部は、前記段差部に沿って配置されている。
【００１４】
本発明の好ましい実施の形態においては、前記段差部は、前記第１方向視において前記筒状部の周方向の一部方位に形成されている。
【００１５】
本発明の好ましい実施の形態においては、前記中継ケーブル孔は、前記段差部に形成されている。
【００１６】
本発明の好ましい実施の形態においては、前記収容部は、前記外部端子部のうち前記中継ケーブルが延出する部分と対向する対向部を有しており、前記中継ケーブル孔は、前記対向部に形成されている。
【００１７】
本発明の好ましい実施の形態においては、前記第１方向において、前記中継ケーブルは、前記筒状部および前記電源部と重なる位置に配置されている。
【００１８】
本発明の好ましい実施の形態においては、前記第１方向において、前記中継ケーブルは、前記複数のフィンと重なる位置に配置されている。
【００１９】
本発明の好ましい実施の形態においては、前記第１方向において、前記コネクタ部は、前記筒状部および前記電源部と重なる位置に設けられている。
【００２０】
本発明の好ましい実施の形態においては、前記第１方向において、前記コネクタ部は、前記複数のフィンと重なる位置に設けられている。
【００２１】
本発明の好ましい実施の形態においては、前記ＬＥＤユニットの前記放熱部材の前記筒状部は、前記電源ケーブルを通過させる電源ケーブル孔を有する。
【００２２】
本発明の好ましい実施の形態においては、前記段差部は、前記第１方向視において前記筒状部の周方向の全方位に形成されている。
【００２３】
本発明の好ましい実施の形態においては、前記中継ケーブル孔は、前記段差部に形成されている。
【００２４】
本発明の好ましい実施の形態においては、前記中継ケーブルは、前記中継ケーブル孔から前記コネクタ部までの経路において、前記段差部よりも前記第１方向出射側に配置されている。
【００２５】
本発明の好ましい実施の形態においては、前記コネクタ部は、前記段差部よりも前記第１方向出射側に配置されている。
【００２６】
本発明の好ましい実施の形態においては、前記外部端子部には、２本の前記中継ケーブルが接続されており、前記第１方向視において、前記２本の中継ケーブルは、前記筒状部の径方向に並んで前記外部端子部に接続されている。
【００２７】
本発明の好ましい実施の形態においては、天井面、天井裏面および天井貫通孔を有する天井に取り付けられた状態で、前記ケースは、前記天井貫通孔を通じて前記天井面よりも室内側に位置する部分と前記天井裏面よりも室内とは反対側に位置する部分と、を有する。
【００２８】
本発明の好ましい実施の形態においては、前記第１方向において、前記天井は、前記ケースのうち前記天井面と接する部分と前記外部端子部との間に位置する。
【００２９】
本発明の好ましい実施の形態においては、前記ケースのうち前記天井面と接する部分と前記外部端子部と距離は、１２．５ｍｍ以上２５．０ｍｍ未満である。
【００３０】
本発明の好ましい実施の形態においては、前記第１方向視において、前記外部端子部は、前記天井貫通孔の外縁に重なっている。
【００３１】
本発明の好ましい実施の形態においては、前記ＬＥＤユニットは、前記コネクタ部の分離および装着によって、前記ケースに対して脱着可能である。
【００３２】
本発明の好ましい実施の形態においては、前記ＬＥＤ発光部は、前記ＬＥＤ基板に設けられ、且つ前記ＬＥＤチップを囲む環状とされるとともに、前記ＬＥＤ基板の前記表面から突出する堰部を有する。
【００３３】
本発明の好ましい実施の形態においては、前記堰部は、シリコーン樹脂からなる。
【００３４】
本発明の好ましい実施の形態においては、前記ＬＥＤ発光部は、前記堰部に囲まれた領域に充填され、且つ前記ＬＥＤチップを覆う封止樹脂を有する。
【００３５】
本発明の好ましい実施の形態においては、前記封止樹脂は、前記ＬＥＤチップからの光によって励起されることにより、異なる波長の光を発する蛍光物質を含む。
【００３６】
本発明の好ましい実施の形態においては、前記ＬＥＤユニットは、前記放熱部材に取り付けられており、且つ前記ＬＥＤ発光部からの光を透過させる内部カバーを有する。
【００３７】
本発明の好ましい実施の形態においては、前記ケースに取り付けられ、前記ＬＥＤ発光部を覆い、且つ前記ＬＥＤ発光部からの光を透過させる透光カバーを更に備える。
【００３８】
本発明の好ましい実施の形態においては、前記透光カバーは、前記ケースに対して脱着可能である。
【００３９】
本発明の好ましい実施の形態においては、前記透光カバーは、前記ＬＥＤ発光部からの光を拡散させつつ透過させる。
【００４０】
本発明の好ましい実施の形態においては、前記ＬＥＤユニットは、前記透光カバーを前記ケースから取り外した状態において、前記ケースに対して脱着可能である。
【発明の効果】
【００４１】
本発明によれば、外部端子部が、前記ＬＥＤ基板の前記表面と直角である第１方向において前記収容部および前記電源部と重なる位置に設けられていることにより、天井面等よりも室外側にある障害物と前記ＬＥＤ照明装置との干渉を抑制することができる。
【００４２】
本発明のその他の特徴および利点は、添付図面を参照して以下に行う詳細な説明によって、より明らかとなろう。
【図面の簡単な説明】
【００４３】
【図１】本発明の第１実施形態に基づくＬＥＤ照明装置を示す斜視図である。
【図２】図１のＬＥＤ照明装置を示す平面図である。
【図３】図１のＬＥＤ照明装置を示す底面図である。
【図４】図１のＬＥＤ照明装置を示す側面図である。
【図５】図３のＶ−Ｖ線に沿う断面図である。
【図６】図３のＶＩ−ＶＩ線に沿う断面図である。
【図７】図１のＬＥＤ照明装置のＬＥＤユニットを示す斜視図である。
【図８】図７のＬＥＤユニットを示す斜視図である。
【図９】図７のＬＥＤユニットを示す平面図である。
【図１０】図７のＬＥＤユニットを示す正面図である。
【図１１】図７のＬＥＤユニットを示す側面図である。
【図１２】図９のＸＩＩ−ＸＩＩ線に沿う断面図である。
【図１３】図９のＸＩＩＩ−ＸＩＩＩ線に沿う断面図である。
【図１４】図７のＬＥＤユニットのＬＥＤ発光部を示す断面図である。
【図１５】図１のＬＥＤ照明装置の変形例を示す断面図である。
【図１６】本発明の第２実施形態に基づくＬＥＤ照明装置を示す底面図である。
【図１７】本発明の第３実施形態に基づくＬＥＤ照明装置を示す底面図である。
【図１８】図１７のＬＥＤ照明装置Ａ３を示す側面図である。
【図１９】図１７のＸＩＸ−ＸＩＸ線に沿う断面図である。
【発明を実施するための形態】
【００４４】
以下、本発明の好ましい実施の形態につき、図面を参照して具体的に説明する。
【００４５】
図１〜図６は、本発明の第１実施形態に基づくＬＥＤ照明装置を示している。本実施形態のＬＥＤ照明装置Ａ１は、ＬＥＤユニット１、ケース６、透光カバー７、外部端子部８１、コネクタ部８２および中継ケーブル８３を備えている。ＬＥＤ照明装置Ａ１は、たとえば天井９に対して固定され、室内を照らす照明装置である。なお、本発明に係るＬＥＤ照明装置が固定される部位は、天井に限定されず、壁面や床面等の建物内部の面、あるいは建物外部の面など、様々な部位が対象となる。
【００４６】
図１は、ＬＥＤ照明装置Ａ１を示す斜視図である。図２は、ＬＥＤ照明装置Ａ１を示す平面図である。図３は、ＬＥＤ照明装置Ａ１を示す底面図である。図４は、ＬＥＤ照明装置Ａ１を示す側面図である。図５は、図３のＶ−Ｖ線に沿う断面図である。図６は、図３のＶＩ−ＶＩ線に沿う断面図である。
【００４７】
なお、以降の説明においては、天井面９１に対して直角である方向における室内側を「下」側、室外側を「上」側と称する場合がある。ただし、これは、本発明に係るＬＥＤ照明装置と鉛直方向との関係を限定するものではない。
【００４８】
ケース６は、ＬＥＤユニット１を支持している。ケース６は、収容部６１および枠部６２を含む。図５に示すように、ＬＥＤユニット１は、収容部６１に対して、たとえばねじによって固定されている。
【００４９】
収容部６１は、ＬＥＤユニット１の少なくとも一部を収容する部位である。収容部６１の材質は特に限定されないが、本実施形態においては、たとえばアルミ、鉄、マグネシウムなどの金属、または樹脂などからなる。収容部６１は、底部６１１、側部６１２、中間部６１２１、段差部６１３、鍔部６１７および中継ケーブル孔６１９を有する。また、収容部６１は、室内側（下側）に鍔部６１７によって区画された部分が開口している。
【００５０】
底部６１１は、平板状である。本実施形態においては、底部６１１は、円弧縁６１１１および内方縁６１１２を有する。円弧縁６１１１は、底部６１１の外縁のうち平面視円弧形状の部位である。内方縁６１１２は、底部６１１の外縁のうち円弧縁６１１１の両端を繋ぐ部位であり、本実施形態においては直線状の弦を構成している。これにより、底部６１１は、図３に示すように円形状の一部が切り欠かれた形状となっている。
【００５１】
側部６１２は、底部６１１の円弧縁６１１１に繋がり、上下方向に延びる部分である。本実施形態においては、側部６１２は略円筒形状である。中間部６１２１は、底部６１１の内方縁６１１２に繋がり、上下方向に延びる部分である。また、中間部６１２１の両側端は、側部６１２に繋がっている。中間部６１２１は、側部６１２のうち同図において中間部６１２１とは反対側に位置する部位よりも上下方向寸法が小である。本実施形態においては、中間部６１２１は、平板状である。段差部６１３は、収容部６１が開口する側（室内側）における部分を反対側（室外側）における部分よりも拡大させる部位である。本実施形態の段差部６１３は、上下方向視において側部６１２と中間部６１２１とに囲まれた領域に設けられており、周方向の一部方位に設けられている。図６に示すように、段差部６１３の一部は、中間部６１２１の下端縁に繋がっており、上下方向に対して略直角方向に延びているである。また、側部６１２は、段差部６１３から上下方向に延びる部分を有する。
【００５２】
鍔部６１７は、側部６１２の下端に繋がっており、天井面９１に平行に広がる略円関係上部分である。
【００５３】
中継ケーブル孔６１９は、中継ケーブル８３を収容部６１の内外に通過させるためのものである。図４に示すように、本実施形態においては、中継ケーブル孔６１９は、中間部６１２１に設けられている。また、本実施形態においては、中継ケーブル孔６１９と中継ケーブル８３との隙間を埋める封止材６１９１が設けられている。封止材６１９１の材質は、たとえば樹脂、ゴム、スポンジ等である。
【００５４】
枠部６２は、収容部６１の鍔部６１７を囲んでおり、平面視円環形状である。枠部６２は、たとえばプラスチックなどの樹脂からなる。本実施形態においては、収容部６１の上端または鍔部６１７の外周上端が、天井９の天井面９１に当接する。
【００５５】
また、本実施形態においては、ケース６の収容部６１の鍔部６１７と天井９の天井面９１との隙間に、断熱部材６８が設けられている。断熱部材６８は、たとえばグラスウールに代表される繊維系断熱材料や発泡スチロールに代表される多孔質系断熱材料からなる。このような構成により、天井９を介した室内外の温度差に起因する熱の移動を抑制することができる。天井９に天井貫通孔９３を設けることは、このような熱移動の抑制には不利であるが、断熱部材６８を採用することにより、過大な室温変化を回避することができる。なお、ＬＥＤ照明装置Ａ１において、断熱部材６８を設けない構成を採用してもよく、これは、以降に説明する実施形態においても同様である。
【００５６】
また、本実施形態においては、ケース６は、２つの固定ばね６９を有する。なお、固定ばね６９の個数は特に限定されない。２つの固定ばね６９は、ケース６の収容部６１の側部６１２の径方向中心から離間する側である外側部位に対してたとえばねじによって固定されており、図５に示すように、径方向中心から離間する方向である外方両側に延出している。固定ばね６９は、たとえばばね鋼からなる帯板を折り曲げ加工することによって形成されている。図５において、想像線で示す２つの固定ばね６９は、弾性力を発揮していない自然状態を示している。ＬＥＤ照明装置Ａ１を天井９に取り付ける際には、２つの固定ばね６９を変形させ、ケース６の収容部６１に添わせる。そして、収容部６１と２つの固定ばね６９とを天井９の天井貫通孔９３に挿通させる。２つの固定ばね６９を図５に示す状態まで挿入すると、２つの固定ばね６９は、互いに離間するように変形する。図５において実線で示す２つの固定ばね６９は、挿入が完了した状態を示している。広がった形態となった２つの固定ばね６９は、ＬＥＤ照明装置Ａ１が天井９に対して室内側（下側）に移動することを阻止する機能を果たす。これにより、ＬＥＤ照明装置Ａ１が天井９に対して固定される。
【００５７】
透光カバー７は、ＬＥＤユニット１およびケース６を出射方向前方から覆うとともにＬＥＤユニット１からの光を透過させる。透光カバー７は、ＬＥＤユニット１からの光を拡散させつつ透過させ、たとえば半透明の乳白色の材質からなる。透光カバー７は、樹脂またはガラスからなる。本実施形態においては、透光カバー７は、ケース６の枠部６２に対して脱着可能とされている。このような透光カバー７は、ケース６に対して螺合、締結等の様々な手段によって取り付けられる。本実施形態においては、透光カバー７をケース６から取り外した状態において、ＬＥＤユニット１をケース６に対して脱着可能である。また、ＬＥＤ照明装置Ａ１は、ＬＥＤユニット１の脱着に際し、枠部６２を収容部６１から取り外す構成であってもよい。
【００５８】
ＬＥＤユニット１は、ＬＥＤ発光部２、放熱部材３、内部カバー４および電源部５を備えている。図５に示すように、ＬＥＤユニット１は、ケース６に収容されている。ケース６に収容されているとは、本実施形態の場合、底部６１１、側部６１２、中間部６１２１および段差部６１３に囲まれていることをいう。平面視において、ケース６および透光カバー７の中心と、ＬＥＤユニット１の中心とは略一致している。
【００５９】
図７は、ＬＥＤユニット１を示す斜視図である。図８は、ＬＥＤユニット１を示す斜視図である。図９は、ＬＥＤユニット１を示す平面図である。図１０は、ＬＥＤユニット１を示す正面図である。図１１は、ＬＥＤユニット１を示す側面図である。図１２は、図９のＸＩＩ−ＸＩＩ線に沿う断面図である。図１３は、図９のＸＩＩＩ−ＸＩＩＩ線に沿う断面図である。図１４は、ＬＥＤユニット１のＬＥＤ発光部２を示す断面図である。なお、これらの図においては、後述する電源ケーブル５９およびコネクタ部８２を省略している。
【００６０】
ＬＥＤ発光部２は、ＬＥＤユニット１の光源部分である。図１４は、ＬＥＤ発光部２を示す拡大断面図である。同図に示すように、本実施形態のＬＥＤ発光部２は、ＬＥＤ基板２１、複数のＬＥＤチップ２２、堰部２３および封止樹脂２４を備える。
【００６１】
ＬＥＤ基板２１は、複数のＬＥＤチップ２２を支持するとともに、これらへの導通経路を有する。ＬＥＤ基板２１の具体的構成は特に限定されないが、たとえば基材および配線パターンからなる。前記基材は、絶縁性材料からなり、熱伝導率が高められたガラスエポキシ樹脂やセラミックスからなる。前記配線パターンは、複数のＬＥＤチップ２２を実装し、かつこれらのＬＥＤチップ２２への導通経路を構成する。前記配線パターンは、金属のメッキ層からなり、たとえばＣｕ，Ｎｉ，Ａｕ，Ａｇなどからなる。なお、ＬＥＤ基板２１の表面２１１と直角である方向を、第１方向ｚと定義し、本実施形態においては、上述した上下方向と一致する。
【００６２】
複数のＬＥＤチップ２２は、ＬＥＤ発光部２の発光要素である。ＬＥＤチップ２２は、たとえばＧａＮからなる半導体層を有しており、たとえば青色光を発する。本実施形態においては、複数のＬＥＤチップ２２がＬＥＤ基板２１に略マトリクス状に搭載されている。ＬＥＤチップ２２は、いわゆる２ワイヤタイプのＬＥＤチップであるが、いわゆる１ワイヤタイプのＬＥＤチップ、あるいはフリップチップタイプのＬＥＤチップであってもよい。
【００６３】
堰部２３は、ＬＥＤ基板２１上に形成されており、複数のＬＥＤチップ２２を囲んでいうる。本実施形態においては、堰部２３は、平面視において矩形環状とされており、たとえば白色のシリコーン樹脂またはエポキシ樹脂からなる。堰部２３の高さは、ＬＥＤチップ２２よりも高い。
【００６４】
封止樹脂２４は、複数のＬＥＤチップ２２を覆っており、堰部２３によって囲まれた領域に充填されている。封止樹脂２４は、たとえばシリコーン樹脂あるいはエポキシ樹脂などの透明な樹脂に、蛍光物質が混入された材質からなる。この蛍光物質は、ＬＥＤチップ２２からの青色光によって励起されることにより黄色光を発する。また、ＬＥＤチップ２２からの青色光によって励起されることにより、赤色光を発する蛍光物質と緑色光を発する蛍光物質とを混ぜて用いてもよい。これにより、ＬＥＤ発光部２からは、電球色、昼光色などの白色光が発せられる。
【００６５】
放熱部材３は、ＬＥＤ発光部２が取り付けられており、点灯時にＬＥＤ発光部２から発せられる熱の放熱を促進する機能を果たす。放熱部材３は、天板部３１、筒状部３２、複数のフィン３３および一対の支持部３４を有する。
【００６６】
天板部３１は、ケース６の開口方向に直角である平板状部分である。本実施形態においては、天板部３１は、平面視略矩形状とされている。天板部３１の図中上面である支持面３１１には、ＬＥＤ発光部２が取り付けられている。
【００６７】
筒状部３２は、天板部３１からＬＥＤ発光部２が取り付けられた側とは反対側である出射方向後方に延びる筒状の部分である。本実施形態においては、筒状部３２は、略角筒状とされている。また、筒状部３２には、複数のフィン３３が形成されている。複数のフィン３３は、筒状部３２から外方に突出している。複数のフィン３３は、各々が上下方向に沿っており、互いに平行に配置されている。複数のフィン３３は、ケース６の収容部６１に収容されている。
【００６８】
また、筒状部３２には、電源ケーブル孔３２１が形成されている。電源ケーブル孔３２１は、図６および図１３に示すように電源ケーブル５９を通過させるためのものである。
【００６９】
一対の支持部３４は、いずれもが出射方向において、支持面３１１と複数のフィン３３との間に位置している。支持部３４は、径方向外方に延出している。一対の支持部３４は、径方向において互いに反対側に延出する。
【００７０】
支持部３４は、ケース６の収容部６１に支持されている。本実施形態においては、支持部３４は、ねじによって固定されている。
【００７１】
内部カバー４は、放熱部材３に取り付けられており、且つＬＥＤ発光部２からの光を透過させる。また、本実施形態においては、内部カバー４は、ＬＥＤ発光部２からの光を拡散させつつ透過させるものであり、たとえば半透明の乳白色の材質からなる。このような内部カバー４は、樹脂またはガラスからなる。
【００７２】
図１２および図１３に示すように、内部カバー４は、入射平面４１および出射曲面４２を有する。
【００７３】
入射平面４１は、ＬＥＤ発光部２に正対するとともに、ＬＥＤ発光部２からの光が入射する平面である。本実施形態においては、入射平面４１は、たとえば粗面である。
【００７４】
出射曲面４２は、入射平面４１とは反対側（図中上側）に位置するとともに、外方に膨出する曲面である。本実施形態においては、出射曲面４２は、たとえば入射平面４１と同程度の粗面である。
【００７５】
電源部５は、たとえば商用の１００Ｖ交流電力をＬＥＤ発光部２の複数のＬＥＤチップ２２を点灯させるのに適した直流電力に変換するものである。電源部５は、放熱部材３の筒状部３２に収容されている。また、電源部５は、筒状部３２とともにケース６の収容部６１に収容されている。
【００７６】
本実施形態の電源部５は、電源基板５１、複数の電子部品５２および複数の電源ケーブル５９からなる。
【００７７】
電源基板５１は、電源部５の土台となるものであり、複数の電子部品５２を支持している。また、複数の電子部品５２同士を適宜導通させる導通経路を有する。本実施形態においては、図１２に示すように、電源基板５１は、筒状部３２における天板部３１側に偏って配置されている。
【００７８】
複数の電子部品５２は、電源部５の機能を実現するための電源回路を構成する要素である。複数の電子部品５２の種類や仕様は特に限定されないが、代表的なものとして、トランス、コンデンサ、抵抗器、ダイオードなどが挙げられる。
【００７９】
複数の電源ケーブル５９は、電源部５とコネクタ部８２とを接続するためのものである。複数の電源ケーブル５９は、放熱部材３の電源ケーブル孔３２１を通過している。
【００８０】
ＬＥＤ発光部２は、複数のＬＥＤケーブル２９によって、電源部５と接続されている。複数のＬＥＤケーブル２９は、たとえば放熱部材３の天板部３１に形成された孔を経由してＬＥＤ発光部２と電源部５とを接続している。
【００８１】
外部端子部８１は、図３および図４に示すように、外部の電源供給経路である給電ケーブル９９と複数の中継ケーブル８３とが接続され、これにより給電ケーブル９９と中継ケーブル８３との電気的な接続をなしている部位である。本実施形態の外部端子部８１は、端子カバー８１０および端子台８１２を有する。端子台８１２は、たとえば２極式のケーブル接続用部品であり、端子８１２ａおよび端子８１２ｂを有する。端子８１２ａは、給電ケーブル９９の芯線が接続される。端子８１２ｂは、中継ケーブル８３の芯線が接続される。これにより、給電ケーブル９９の芯線と中継ケーブル８３の芯線とが電気的に接続される。端子カバー８１０は、端子台８１２を覆っており、たとえばシリコーン樹脂からなる。端子カバー８１０には、ケーブル挿入部８１１が形成されている。ケーブル挿入部８１１は、中継ケーブル８３を内部に通過させる部位であり、たとえば貫通孔である。
【００８２】
外部端子部８１は、図４および図６に示すように、第１方向ｚすなわち上下方向において、収容部６１、筒状部３２および電源部５と重なる位置に配置されている。また、外部端子部８１は、第１方向ｚ視（上下方向視）において収容部６１に隣接する位置に設けられている。さらに本実施形態においては、外部端子部８１は、ケース６の段差部６１３に沿って配置されている。また、外部端子部８１は、ケース６に相対的に固定され、且つＬＥＤユニット１のＬＥＤ基板２１の表面２１１と平行な方向において、少なくともケース６および電源部５と重なっている。図３に示すように、平面視において、外部端子部８１は、底部６１１に対して、内方縁６１１２および中間部６１２１を隔てて配置されている。また、平面視において、外部端子部８１は、その一部が段差部６１３に重なっている。外部端子部８１は、平面視において固定ばね６９を避けた位置に配置されている。給電ケーブル９９は、外部端子部８１から固定ばね６９の伸長方向と平行に配置されている。外部端子部８１の平面視形状は特に限定されないが、図示された例においては矩形状である。外部端子部８１の平面視における長辺は、内方縁６１１２および中間部６１２１と平行である。また、外部端子部８１は、平面視において天井貫通孔９３の周縁と重なっている。図６に示すように、外部端子部８１の側部と中間部６１２１とは、対向している。外部端子部８１は、段差部６１３上に配置されている。外部端子部８１は、鍔部６１７とともに天井９を挟んでいる。
【００８３】
図３に示すように、本実施形態においては、２本の給電ケーブル９９と２本の中継ケーブル８３とが、外部端子部８１によって接続されている。２本の給電ケーブル９９は、筒状部３２の径方向に並んで外部端子部８１に接続されている。また、２本の中継ケーブル８３は、筒状部３２の径方向に並んで外部端子部８１に接続されている。
【００８４】
２本の中継ケーブル８３は、外部端子部８１とコネクタ部８２とに接続されている。図３および図４に示すように、２本の中継ケーブル８３は、中継ケーブル孔６１９を通じて、ケース６の外部から内部へと進入している。また、２本の中継ケーブル８３は、中継ケーブル孔６１９からコネクタ部８２までの経路において、ケース６の収容部６１に収容されており、ＬＥＤユニット１と収容部６１との間に延在している。また、２本の中継ケーブル８３は、第１方向ｚにおいて筒状部３２および電源部５と重なる位置に配置されている。さらに、２本の中継ケーブル８３は、第１方向ｚにおいて放熱部材３の複数のフィン３３と重なる位置に配置されている。
【００８５】
コネクタ部８２は、２本の中継ケーブル８３と２本の電源ケーブル５９とが接続され、これにより中継ケーブル８３と電源ケーブル５９との電気的な接続を実現している。コネクタ部８２は、ケース６の収容部６１とＬＥＤユニット１の放熱部材３の筒状部３２との間の空間に配置されている。また、コネクタ部８２は、第１方向ｚ視においてＬＥＤユニット１に対して外部端子部８１とは反対側の位置に設けられている。言い換えると、外部端子部８１とコネクタ部８２との間に、ＬＥＤユニット１の一部が介在している。本実施形態においては、外部端子部８１とコネクタ部８２とは、筒状部３２の周方向において略１８０度の方位に配置されている。
【００８６】
コネクタ部８２は、第１方向ｚにおいて、筒状部３２および電源部５と重なる位置に設けられている。また、コネクタ部８２は、放熱部材３の複数のフィン３３と重なる位置に設けられている。
【００８７】
コネクタ部８２は、中継ケーブル８３側の部分と電源ケーブル５９側の部分とに分離可能である。コネクタ部８２の分離および装着により、ＬＥＤユニット１は、ケース６に対して脱着可能とされている。
【００８８】
図６に示すように、ＬＥＤ照明装置Ａ１が天井９に取り付けられた状態において、天井９は、第１方向ｚにおいてケース６の鍔部６１７または枠部６２の上端と外部端子部８１との間に位置している。ケース６の鍔部６１７または枠部６２の上端と外部端子部８１との距離は、好ましくは、１２．５ｍｍ以上２５．０ｍｍ未満である。また、第１方向ｚ視において、外部端子部８１は、天井９の天井貫通孔９３の外縁に重なっている。言い換えると、外部端子部８１は、第１方向ｚ視において、天井貫通孔９３の内部から天井貫通孔９３の外部へとはみ出した配置とされている。
【００８９】
本実施形態においては、図６に示すように、外部端子部８１は、収容部６１の上端よりも下方に位置している。外部端子部８１の全体は、天井９の天井裏面９２よりも上方に位置している。ケース６の収容部６１の一部、放熱部材３の筒状部３２の一部および電源部５の少なくとも位置は、天井９の天井貫通孔９３よりも上方に位置している。
【００９０】
なお、本発明に係るＬＥＤ照明装置においては、上述したケース６と電源部５とが、少なくとも一部において互いに離間している。また、少なくとも一部がケース６と電源部５との前記離間した間に延在するケーブルにより、外部端子部８１と電源部５とが電気的に接続されている
【００９１】
次に、ＬＥＤ照明装置Ａ１の作用について説明する。
【００９２】
本実施形態によれば、図６に示すように、外部端子部８１は、第１方向ｚにおいて収容部６１、筒状部３２および電源部５と重なる位置であって、第１方向ｚ視において収容部６１に隣接する位置に設けられている。またコネクタ部８２は、収容部６１と筒状部３２との間の空間であって第１方向ｚ視においてＬＥＤユニット１に対して外部端子部８１とは反対側の位置に設けられている。これにより、外部端子部８１、コネクタ部８２および中継ケーブル８３が、収容部６１等よりも上方に突出することを回避することが可能である。したがって、天井面９１よりも室外側にある障害物とＬＥＤ照明装置Ａ１との干渉を抑制することができる。
【００９３】
また、第１方向ｚにおいて、外部端子部８１と複数のフィン３３とが重なっている。これにより、ＬＥＤ照明装置Ａ１の第１方向ｚ寸法をより縮小することができる。
【００９４】
中継ケーブル８３の大部分が収容部６１に収容されていることにより、中継ケーブル８３を保護することができる。
【００９５】
外部端子部８１とコネクタ部８２とが互いに反対側に配置されていることにより、周方向においてＬＥＤ照明装置Ａ１のある特定方位部分が不当に大きな部位となることを回避することができる。また、外部端子部８１とコネクタ部８２とに接続される中継ケーブル８３が、不当に屈曲するなどの事態を防ぐことができる。
【００９６】
収容部６１に設けた段差部６１３に沿って外部端子部８１を配置することにより、外部端子部８１が外方に不当に突出することを防止することができる。
【００９７】
枠部６２または鍔部６１７の上端と外部端子部８１との距離が、１２．５ｍｍ以上２５．０ｍｍ未満である。これにより、厚さが１２．５ｍｍである一般的な天井ボードによって構成された天井９にＬＥＤ照明装置Ａ１を適切に設置することができる。また、前記距離が２５．０ｍｍ未満であることにより、ＬＥＤ照明装置Ａ１の第１方向ｚ寸法が無駄に大きくなってしまうことを抑制することができる。また、外部端子部８１と鍔部６１７とによって天井９を挟む構成であることにより、たとえば固定ばね６９によるＬＥＤ照明装置Ａ１の天井９への固定が不安定となった場合に、外部端子部８１が天井９に引っかかることによりＬＥＤ照明装置Ａ１が落下する事態を回避することができる。
【００９８】
外部端子部８１の接続部分において２本の中継ケーブル８３が径方向に並べられている。これにより、ＬＥＤ照明装置Ａ１の点灯時にＬＥＤユニット１が発熱した場合に、２本の中継ケーブル８３の双方がＬＥＤユニット１からの熱にさらされてしまうことを回避し、ＬＥＤユニット１から離れている方の中継ケーブル８３の加熱を防止することができる。また、外部端子部８１の接続部分において２本の給電ケーブル９９が径方向に並べられている。これにより、ＬＥＤ照明装置Ａ１の点灯時にＬＥＤユニット１が発熱した場合に、２本の給電ケーブル９９の双方がＬＥＤユニット１からの熱にさらされてしまうことを回避し、ＬＥＤユニット１から離れている方の給電ケーブル９９の加熱を防止することができる。
【００９９】
図１５〜図１９は、本発明の他の実施形態を示している。なお、これらの図において、上記実施形態と同一または類似の要素には、上記実施形態と同一の符号を付している。
【０１００】
図１５は、ＬＥＤ照明装置Ａ１の変形例を示す断面図である。本変形例においては、電源ケーブル５９が、放熱部材３の筒状部３２の図中上方開口から電源基板５１へと延びている。このため、筒状部３２には、上述した実施形態における電源ケーブル孔３２１は、設けられていない。また、コネクタ部８２は、たとえば、筒状部３２の外側面沿ってに配置されている。コネクタ部８２に対して第１方向ｚ上方から電源ケーブル５９が接続されている。また、コネクタ部８２に対して第１方向ｚ下方から中継ケーブル８３が接続されている。
【０１０１】
このような変形例によっても、天井面９１よりも室外側にある障害物とＬＥＤ照明装置Ａ１との干渉を抑制することができる。
【０１０２】
図１６は、本発明の第２実施形態に基づくＬＥＤ照明装置を示している。本実施形態のＬＥＤ照明装置Ａ２は、主にケース６の構成が、上述した実施形態と異なっている。
【０１０３】
本実施形態においては、ケース６の収容部６１が、対向部６１４を有している。対向部６１４は、外部端子部８１のうち中継ケーブル８３が延出する部分と対向する部位である。この対向部６１４は、第１方向ｚに沿って起立している。また、本実施形態においては、対向部６１４に中継ケーブル孔６１９が形成されている。この中継ケーブル孔６１９を中継ケーブル８３が通過している。
【０１０４】
このような実施形態によっても、天井面９１よりも室外側にある障害物とＬＥＤ照明装置Ａ２との干渉を抑制することができる。また、外部端子部８１から中継ケーブル孔６１９に至る中継ケーブル８３の経路を短縮することが可能である。これは、中継ケーブル８３の保護に好ましい。
【０１０５】
図１７〜図１９は、本発明の第３実施形態に基づくＬＥＤ照明装置を示している。図１７は、ＬＥＤ照明装置Ａ３を示す底面図である。図１８は、ＬＥＤ照明装置Ａ３を示す側面図である。図１９は、図１７のＸＩＸ−ＸＩＸ線に沿う断面図である。
【０１０６】
本実施形態のＬＥＤ照明装置Ａ３においては、図１７に示すように、ケース６の収容部６１の全方位にわたって段差部６１３が形成されている。このため、図１８および図１９に示すように、放熱部材３の複数のフィン３３と収容部６１との間の空間が、上述した実施形態よりも狭いものとなっている。また、段差部６１３のうち外部端子部８１に隣接する部分に中継ケーブル孔６１９が設けられている。
【０１０７】
中継ケーブル孔６１９から収容部６１の内部へと進入した中継ケーブル８３は、中継ケーブル孔６１９からコネクタ部８２までの経路において、段差部６１３よりも下方側（ＬＥＤ発光部２の第１方向出射側）に配置されている。また、コネクタ部８２は、段差部６１３よりも下方側（ＬＥＤ発光部２の第１方向出射側）に配置されている。本実施形態においては、電源ケーブル５９は、コネクタ部８２から内部カバー４に形成された中継ケーブル孔４５を通じて電源部５に接続されている。
【０１０８】
このような変形例によっても、天井面９１よりも室外側にある障害物とＬＥＤ照明装置Ａ３との干渉を抑制することができる。また、収容部６１のうち天井裏面９２よりも室外側に位置する部分の体積を縮小することが可能である。これは、天井裏面９２よりも室外側にある障害物とＡ３との干渉を回避するのに好ましい。
【０１０９】
本発明に係るＬＥＤ照明装置は、上述した実施形態に限定されるものではない。本発明に係るＬＥＤ照明装置の各部の具体的な構成は、種々に設計変更自在である。
【符号の説明】
【０１１０】
Ａ１〜Ａ３  ：ＬＥＤ照明装置
１        ：ＬＥＤユニット
２        ：ＬＥＤ発光部
３        ：放熱部材
４        ：内部カバー
５        ：電源部
６        ：ケース
７        ：透光カバー
９        ：天井
２１      ：ＬＥＤ基板
２２      ：ＬＥＤチップ
２３      ：堰部
２４      ：封止樹脂
２９      ：ＬＥＤケーブル
３１      ：天板部
３２      ：筒状部
３３      ：フィン
３４      ：支持部
４１      ：入射平面
４２      ：出射曲面
４５      ：中継ケーブル孔
５１      ：電源基板
５２      ：電子部品
５９      ：電源ケーブル
６１      ：収容部
６２      ：枠部
６８      ：断熱部材
６９      ：固定ばね
８１      ：外部端子部
８２      ：コネクタ部
８３      ：中継ケーブル
９１      ：天井面
９２      ：天井裏面
９３      ：天井貫通孔
９９      ：給電ケーブル
２１１    ：表面
３１１    ：支持面
３２１    ：電源ケーブル孔
６１１    ：底部
６１２    ：側部
６１３    ：段差部
６１４    ：対向部
６１７    ：鍔部
６１９    ：中継ケーブル孔
８１０    ：端子カバー
８１１    ：ケーブル挿入部
８１２    ：端子台
６１１１  ：円弧縁
６１１２  ：内方縁
６１２１  ：中間部
６１９１  ：封止材
ｚ        ：第１方向
【図１】
2017117547.tif 000003
【図２】
2017117547.tif 000004
【図３】
2017117547.tif 000005
【図４】
2017117547.tif 000006
【図５】
2017117547.tif 000007
【図６】
2017117547.tif 000008
【図７】
2017117547.tif 000009
【図８】
2017117547.tif 000010
【図９】
2017117547.tif 000011
【図１０】
2017117547.tif 000012
【図１１】
2017117547.tif 000013
【図１２】
2017117547.tif 000014
【図１３】
2017117547.tif 000015
【図１４】
2017117547.tif 000016
【図１５】
2017117547.tif 000017
【図１６】
2017117547.tif 000018
【図１７】
2017117547.tif 000019
【図１８】
2017117547.tif 000020
【図１９】
2017117547.tif 000021